(57)【要約】　　　（修正有）【課題】サムターンの不正操作を防止するためのサムターン機構を提供すること。【解決手段】ロック部材に連繋された回転体とサムターン用シリンダ錠７の内筒の間に、前記内筒の回転により回転作動されるラチェット式カム１０とスライドカム１３によるカム機構と、該カム機構によって前記サムターン回転に接合又は離反させられるクラッチ１５を挿入して成り、サムターン用シリンダ錠７に鍵を入れその内筒を角回転させることにより、前記カム機構を作動させてクラッチ１５とサムターン回転との接合と離反動作を交互に切換え、クラッチ１５とサムターン回転との接続が解かれたとき、サムターン回転が空転するようにした。【選択図】　　図１
2004060248.tif 000002
【特許請求の範囲】
【請求項１】
扉に内装される錠ケースに回転力を入力し、前記錠ケース内に設けられたロック部材を扉枠に対して進退動作をさせるように形成したサムターン機構において、前記ロック部材に連繋された回転体とその回転体のサムターン回転を許容又は否定するサムターン用シリンダ錠の内筒の間に、前記内筒の回転により回転作動されるラチェット式カムとスライドカムによるカム機構と、該カム機構によって前記サムターン回転に接合又は離反させられるクラッチを挿入して成り、前記錠ケース内のシリンダ錠の鍵によって操作できるサムターン用シリンダ錠に鍵を入れその内筒を角回転させることにより、前記カム機構を作動させてクラッチとサムターン回転との接合と離反動作を交互に切換え、前記クラッチとサムターン回転との接続が解かれたとき、サムターン回転が空転するようにしたことを特徴とする防犯型サムターン機構。
【発明の詳細な説明】
【０００１】
【発明の属する技術分野】
本発明は扉に内装された錠ケースに対して屋内側から回転力を入力することにより、錠ケース内のロック部材を扉枠側のロック受けに対して進入，後退させるサムターン機構に関し、より具体的にはサムターン機構の動作機能を保持させたり、解除することを屋内側から任意に設定できるようにしたサムターン機構に関する。
【０００２】
【従来の技術】
サムターン機構は、屋内側から錠ケースのロック部材を進，退動作させることができるので、一般家庭用などの玄関扉に設けられるハンドル付扉錠に内蔵付設されて多く利用されている。このサムターン機構は、屋内側から錠ケース内のロック部材を鍵を用いることなく操作できる点で便宜である一方、扉に設けられた明かり取り用などのガラス窓が外から破られ、そこから扉の屋内側に手に入れて前記サムターンを操作し、錠なしで扉錠を解錠してしまうという不正操作が頻繁に発生している。
【０００３】
このような点に鑑み、サムターンの不正操作を防ぐ目的のサムターン機構が、特開平１１−２００６７８号や特開２００１−２９５１５号などとして提案されている。
【０００４】
【発明が解決しようとする課題】
本発明は、サムターンの不正操作を防ぐことを目的とするサムターン機構である点で、上記の従来技術と同じ目的のものであるが、不正操作を排除、或は、防止するための機構に、従来品には見られない新機軸を取込んだサムターン機構を提供することを、その課題とするものである。
【０００５】
【課題を解決するための手段】
上記課題を解決することを目的としてなされた本発明サムターン機構の構成は、扉に内装される錠ケースに回転力を入力し、前記錠ケース内に設けられたロック部材を扉枠に対して進退動作をさせるように形成したサムターン機構において、前記ロック部材に連繋された回転体とその回転体のサムターン回転を許容又は否定するサムターン用シリンダ錠の内筒の間に、前記内筒の回転により回転作動されるラチェット式カムとスライドカムによるカム機構と、該カム機構によって前記サムターン回転に接合又は離反させられるクラッチを挿入して成り、前記錠ケース内のシリンダ錠の鍵によって操作できるサムターン用シリンダ錠に鍵を入れその内筒を角回転させることにより、前記カム機構を作動させてクラッチとサムターン回転との接合と離反動作を交互に切換え、前記クラッチとサムターン回転との接続が解かれたとき、サムターン回転が空転するようにしたことを特徴とするものである。
【０００６】
【発明の実施の形態】
次に、本発明サムターン機構について、図を参照して説明する。図１は本発明サムターン機構の一例のクラッチ接続時における断面図、図２は図１のサムターン機構がクラッチフリーの状態になったときを示す要部の断面図、図３は図１，図２の本発明サムターン機構における要部の構成部品を分解状態で示した展開図、図４は図３の構成部品のうちカム受８，ラチェットカム１０，カム受座金１２を別方向から見た斜視図、図５は図１のサムターン機構におけるグリップクラッチ１６，クラッチ外筒２０，ハウジング２１，カラー２２，バネ２３の分解状態の上半部を断面にした展開図、図６は本発明サムターン機構の別例の要部の構造を分解した部品の展開図、図７は図６の部品の上半部を断面で示した側面図、図８は図６のサムターン機構におけるクラッチフリー状態の要部の正面図、図９は図６のサムターン機構のクラッチ接合状態の要部の正面図、図１０は９０度回転送りバネ部分の正面図、図１１は本発明サムターン機構の扉錠への取付状態の概要を例示した側面図である。
【０００７】
図１１において、１は例えば玄関扉、２はこの扉１の側縁近くに内装した錠ケースで、扉１の内外側にノブ３を、屋内側に後に説明する本発明サムターン機構を内蔵したグリップ４を具備している。前記ノブ３の内部にはシリンダ錠（図示せず）が内蔵され、そのキー５をキー穴に入れて回転操作すると、ロック部材６が錠ケース２の側面（扉の側面）から扉枠（図示せず）に対して出没するようになっている。
【０００８】
本発明サムターン機構の一例は、上記のキー５を用いて施，解錠されるサムターン用シリンダ錠７を始めとする部品によって構成されるので、この点につてい図１〜図５に基づき説明する。
【０００９】
図１，図２、並びに、図３〜図５に示した本発明サムターン機構では、前記シリンダ錠７の内筒７ａの前面（図の左方）に、略短円柱状のラチェットカム受８が、このカム受８の後面（図３の右方）において、キーとキー溝の関係で結合されている。このカム受８はその外周にラチェット送り爪として機能するラチェット送りバネ９を具備している。
【００１０】
図３，図４において、上記ラチェットカム受８には、略円筒状のラチェットカム１０が外挿されている。このラチェットカム１０の前，後の端面は、山と谷が９０度単位で交互に並んだカム面１０ａ，１０ｂに形成されている。また、前記カム１０の内周面には、ラチェット送りバネ９の先端が係合するバネ受溝１０ｃが９０度ピッチで設けられている。更に、前記カム１０の内周面には、９０度ピッチでこのカム１０の９０度角回転に節度を付けるストッパバネ１１を受入れる切欠１０ｄが形成され、加えて、後部のカム面１０ｂには、９０度のピッチで、後述する回り止めピン１４の先端が嵌まる溝１０ｅが形成されている。
【００１１】
なお、上記ストッパバネ１１は、図３に示すように、シリンダ錠７の外筒７ｂの外面に設けられている。また、上記カム１０は、その先端側において前記カム受８にビス等により取付けられるカム受座金１２に支持されてカム受８に回転可能に外挿されている。
【００１２】
上記のカム１０は、カム受８が内筒７ａの反時計回り方向への９０度回転されるとき、その送りバネ９の先端がバネ受溝１０ｃに係合することにより同方向に９０度回転するが、カム受８が時計回り方向に回転するときは送りバネ９がバネ受溝１０ｃの上を滑るので回転しない。
【００１３】
一方、上記カム１０には、前端側にカム１０のカム面１０ａに従動する内向きの突部１３ａ，１３ａを１８０度の間隔で対設した円筒体状のスライドカム１３が外挿され、前記ラチェットカム１０のカム面１０ａに、このスライドカム１３の内面に設けた突部１３ａ，１３ａが従動することにより、シリンダ錠７の軸方向で進退させられるように配置されている。なお、１３ｂはこのスライドカム１３の後部側（図３の右方）に設けた回り止め用のキー溝で、前記シリンダ錠７の外周に配設された押しバネ１４ａにより前方へ向けて付勢されたキーピン１４が嵌入していることにより、このスライドカム１３がラチェットカム１０の回転に同動することなく、軸方向スライドのみが許容されて設けられている。
【００１４】
図３において、１５はスライドカム１３に前方側から外嵌したほぼ筒状をなすクラッチで、後端面に、後に述べるグリップクラッチ１６のクラッチ溝１６ａに対して嵌合，離脱するクラッチ歯１５ａを有している。このクラッチ１５の前方側（図３の左方）には、クラッチバネ１７を介して、錠ケース２内のロック部材６を進退させるための回転をするコマ部材１８がキー結合関係により内装され、当該クラッチ１５はこのコマ部材１８の軸上においてスライド可能に保持されている。コマ部材１８の前方のキー軸１９は錠ケース２の内部に設けられたロック部材６を進退させる回転体、或は、ロック部材６を進退させる部材に結合される。
【００１５】
上記クラッチ１５の後方（図の右側）であって、スライドカム１３の外周には、クラッチ１５の後部側の内，外径と同じ内外径をする図５に示したグリップクラッチ１６が嵌挿され、コマ部材１８の上でスライドさせられるクラッチ１５の歯１５ａとグリップクラッチ１６の溝１６ａとが係合，離脱することにより、グリップクラッチ１６がコマ部材１８と一緒に回転したり、コマ部材１８がクリップクラッチ１６の回転からフリーになったりするように設けられている。このグリップクラッチ１６が図１１におけるグリップ４に相当する。
【００１６】
上記のクラッチ１５とグリップクラッチ１６は、その外面に図５に示したクラッチ外筒２０が嵌挿されてこの外筒２０に保持され、クラッチ外筒２０は、本発明サムターン機構を錠ケース２嵌合取付するための図５の筒状ハウジング２１に嵌合して保持されるように形成されている。
【００１７】
上記ハウジング２１とクラッチ外筒２０は、図示した例では外面が逆テーパ錠をなすカラー２２に、バネ２３を介して内挿されていおり、以上により図１の組立て状態の本発明サムターン機構ＴＭの一例を形成する。
【００１８】
上記サムターン機構ＴＭは、扉錠用のキー５を、このサムターン機構ＴＭのシリンダ錠７の鍵穴に挿入すると、内筒７ａが９０度範囲で時計回り或は反時計回りに角回転し、錠ケース２の内部のロック部材６を扉枠の側に対して進出，後退させることが可能である。
【００１９】
図１の状態のサムターン機構は、ラチェットカム１０の前方側のカム面１０ａの１８０度離れた２つの谷にスライドカム１３の２つの突部１３ａ，１３ａが入っているので、スライドカム１３は後退位置にある。このときスライドカム１３の前端面には、クラッチバネ１７に押されたクラッチ１５が当接するので、このクラッチ１５も後退位置にあり、これによってこのクラッチ１５の後面のクラッチ歯１５ａはグリップクラッチ１６の前端のクラッチ溝１６ａに嵌入するから、このグリップクラッチ１６を手で回すと、その回転がクラッチ１５を経てコマ部材１８に伝動され、このコマ部材１８のキー軸１９の回転によって錠ケース２内のロック部材６を扉枠側へ進出させることができる。なお、グリップクラッチ１６を上記とは逆方向に回すと、前記ロック部材６は後退する。
【００２０】
上記のクラッチグリップ１６の回転をコマ部材１８に伝達させずに空転させるには、当該グリップ１６のクラッチ溝１６ａとクラッチ１５の歯１５ａの係合を解けばよい。このため本発明サムターン機構ＴＭでは、シリンダ錠７の鍵穴にキー５を挿入して内筒７ａとラチェットカム受８を９０度時計回り方向に回転させると、カム受８の送りバネ９の先端がラチェットカム１０のバネ受溝１０ｃに入ってこのカム１０を９０度回転させて、そのカム面１０ａの位相を９０度時計回り方向に変え、カム面１０ａの位置が図２に示す位置に来る。
【００２１】
そうなると、カム面１０ａの山にスライドカム１３の突部１３ａ，１３ａが押されるので、このカム１３は図２の左方へ変位し、これによってクラッチ１５をコマ部材１８の側へ押出す。クラッチ１５が図２の左方へ変位すると、そのクラッチ歯１５ａがグリップクラッチ１６の溝１６ａから離れることとなる。つまり、グリップクラッチ１６は空転してコマ部材１８にその回転を伝えることが出来なくなる。
【００２２】
上記の状態でキー５を反時計回り方向に９０度戻しても、カム受８の送りバネ９がラチェットカム１０に作用しないので、クラッチ１５の歯１５ａとグリップクラッチ１６の溝１６ａの離脱状態は保持され、従って、この状態でキー５をシリンダ錠７の鍵穴から抜けば、本発明サムターン機構ＴＭがオフ（空転）状態にセットされる。
【００２３】
上記のオフ状態を解除するには、キー５をシリンダ錠７の鍵穴に挿入して時計回り方向に９０度回転すると、カム受８の送りバネ９の先端がラチェットカム１０のバネ受溝１０ｃに入ってこのカム１０を９０度回転させ、カム１０のカム面１０ａの位相を図１の状態に戻し、スライドカム１３の突部１３ａ，１３ａを図の右側へ変位させる。そうすると、クラッチ１５の歯１５ａがグリップクラッチ１６の溝１６ａに入って、グリップクラッチ１６の回転がクラッチ１５を通してコマ部材１８に伝達されるようになる。
【００２４】
上記のサムターン機構ＴＭにおいて、グリップクラッチ１６が空転するのか、クラッチ１５に接合しているかの判別は、ラチェットカム１０の後面のカム面１０ｂに設けた溝１０ｅにバネ１４ａで押された回り止めピン１４の先端が入ったり出たりして、ストローク動作をするので、このピン１４の外面に付けた目印（図示せず）が、クラッチ外筒２０に設けたインジケータ穴から見えるかどうかによって判別すればよい。
【００２５】
本発明サムターン機構ＴＭにおけるグリップクラッチ１６の空転とクラッチ１５と結合した回転との切換構造は、図６〜図１０に例示した形態とすることができるので、以下に説明する。
【００２６】
図６〜図１０において、内筒７ａに取付けられた送りバネ９を有するカム受８に、ラチェットカム１０′がカム受座金１２により取付けられる点は、図４〜図８には示さないが、図１，図２、並びに、図３〜図５に示したサムターン機構ＴＭと同じ構成である。
【００２７】
図６〜図１０の例では、ラチェットカム１０′の内周面が内面カム１０ａ′に形成されていると共に、前端面に後述するロックピン２４に嵌まる溝１０ｆ，１０ｆが１８０度の間隔で形成されており、また、図１〜図５の例におけるスライドカム１３に代え、シリンダ錠７の軸に直交する向きで配された伸縮するロックピン２４と、このピン２４を保持する筒状のロックピン受け２５とを用いる一方、前記伸縮ピン２４の伸縮によってこのピン２４と結合，分離される切欠部１５ｃ，１５ｃを１８０度のピッチで設けたクラッチ１５′により形成されている。なお、クラッチ１５′には先端に先に述べた実施例のコマ部材１８のキー軸に当る部材１９′が一体に形成されている。
【００２８】
上記のロックピン２４は、バネ２４ｃによってその長さ方向に常時伸びるように付勢されて接続された２つのピン部材２４ａ，２４ｂにより形成されている。また、ピン部材２４ａ，２４ｂの先端側にはそれぞれ段部２４ｄ，２４ｅが形成され、この段部２４ｄ，２４ｅがカム１０′の内面カム１０ａ′によって中心側（縮み側）に常時押されて配置されている。
【００２９】
一方、ロックピン受け２５は、前記ピン２４をその直径上に保持するための切欠２５ａ，２５ｂを周壁に１８０度対向させて設けた筒体で形成されており、ピン２４ａ，２４ｂの段部２４ｄ，２４ｅが内面カム１０ａ′に引掛った状態で当接し、ラチェットカム１０′に両端が支持されたピン２４を、そのカム１０′と一緒に収装して保持している。
【００３０】
上記ロックピン受２５の先端側には、そのロックピン受２５に被さるクラッチ１５′が回転可能の状態で嵌められ、このクラッチ１５に設けられた切欠１５ｃ，１５ｃがロックピン受２５の切欠２５ａ，２５ｂに重なるように位置付けられる。この結果、ロックピン２４の段部２４ｄ，２４ｅが、ラチェットカム１０′における内面カム１０ａ′の肉厚部にあるときは、ピン２４ａ，２４ｂの頭はロックピン受２５の外周面の内側に没入しており、ラチェットカム１０′とクラッチ１５′とは切断された状態にある。一方、前記段部２４ｄ，２４ｅが内面カム１０ａ′のカム面から外れて溝１０ｆ，１０ｆに入ると、ピン２４ａ，２４ｂの頭がロックピン受２５の切欠２５ａ，２５ｂからその外周面の外側に突出してクラッチ１５′の切欠１５ｃ，１５ｃに入り、ラチェット１０′，ロックピン受２５，クラッチ１５′がつながり、ラチェットカム１０′の回転と一緒に回転する。
【００３１】
上記の本発明サムターン機構の第二例は、図示しないが、第一例のサムターンＴＭと同様な筒状のグリップや外筒に収挿されて、錠ケース２への嵌め込みハウジング２１に取付けられて、錠ケース２へ組付けられる。
【００３２】
以上に述べた本発明サムターン機構の第二例は、シリンダ錠７の鍵穴にキー５を入れて内筒７ａを９０度時計回り方向に回したり、そこから戻す回転操作をすることにより、送りバネ９とバネ受溝１０ｃの作用でラチェットカム１０′が一方向に９０度単位で角回転し、その内面カム１０ａ′がロックピン２４の段部２４ｄ，２４ｅを押下げたり戻したりするので、ロックピン２４の頭がロックピン受２５の切欠２５ａ，２５ｂの外周面から突出したり没入する動作を交互に繰返す。この結果、前記ピン２４の頭がクラッチ１５′の切欠１５ｃに係合したときはラチェットカム１０′，ロックピン受２５，クラッチ１５′が一体に結合して回転する。一方、前記ピン２４の頭がクラッチ１５′の切欠１５ｃから外れると、ラチェットカム１０′とピン受２５のみが回転（空転）してクラッチ１５′は回転しないので、キー５を用いないで外部からこのサムターン機構の操作をすることは不能になる。
【００３３】
【発明の効果】
本発明は以上の通りであって、不正操作を排除、或は、防止するための機構に、従来品には見られない新機軸を取込んだサムターン機構を提供するため、そのサムターン機構を、前記ロック部材に連繋された回転体とその回転体のサムターン回転を許容又は否定するサムターン用シリンダ錠の内筒の間に、前記内筒の回転により作動されるラチェット式カムとスライドカムによるカム機構と、該カム機構によって前記サムターン回転に接合又は離反させられるクラッチを挿入して成り、前記錠ケース内のシリンダ錠の鍵によって操作できるサムターン用シリンダ錠に鍵を入れその内筒を角回転させることにより、前記カム機構を作動させてクラッチとサムターン回転との接合と離反動作を交互に切換え、前記クラッチとサムターン回転との接続が解かれたとき、サムターン回転が空転するように形成したので、全く新たな機構のサムターンを製造し提供することができる。
【図面の簡単な説明】
【図１】本発明サムターン機構の一例の断面図
【図２】図１のサムターン機構がクラッチフリーの状態になったときを示す要部の断面図
【図３】図１，図２の本発明サムターン機構における要部の構成部品を分解状態で示した展開図
【図４】図３の構成部品のうちカム受８，ラチェットカム１０，カム受座金１２を別方向から見た斜視図
【図５】図１のサムターン機構におけるグリップクラッチ１６，クラッチ外筒２０，ハウジング２１，カラー２２，バネ２３の分解状態の上半部を断面にした展開図
【図６】本発明サムターン機構の別例の要部の構造を分解した部品の展開図
【図７】図６の部品の上半部を断面で示した側面図
【図８】図６のサムターン機構におけるクラッチフリー状態の要部の正面図
【図９】図６のサムターン機構のクラッチ接合状態の要部の正面図
【図１０】９０度回転送りバネ部分の正面図
【図１１】本発明サムターン機構の扉錠への取付状態の概要を例示した側面図
【符号の説明】
１　　　　　扉
２　　　　　錠ケース
３　　　　　ノブ
４　　　　　グリップ
５　　　　　キー
６　　　　　ロック部材
７　　　　　シリンダ錠
８　　　　　ラチェットカム受
９　　　　　ラチェット送りバネ
１０　　　　　ラチェットカム
１１　　　　　ストッパバネ
１２　　　　　座金
１３　　　　　スライドカム
１３ａ，１３ａ　　突部
１４　　　　　キーピン
１５　　　　　クラッチ
１５ｃ，１５ｃ　　切欠
１６　　　　　グリップクラッチ
１７　　　　　バネ
１８　　　　　コマ部材
１９　　　　　クラッチバネ
２０　　　　　クラッチ外筒
２１　　　　　ハウジング
２２　　　　　カラー
２３　　　　　バネ
２４　　　　　ロックピン
２４ａ，２４ｂ　　ピン部材
２４ｄ，２４ｅ　　段部
２５　　　　　ピン受
【図１】
2004060248.tif 000003
【図２】
2004060248.tif 000004
【図３】
2004060248.tif 000005
【図４】
2004060248.tif 000006
【図５】
2004060248.tif 000007
【図６】
2004060248.tif 000008
【図７】
2004060248.tif 000009
【図８】
2004060248.tif 000010
【図９】
2004060248.tif 000011
【図１０】
2004060248.tif 000012
【図１１】
2004060248.tif 000013